【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
複数のセルを用いて基地局装置と通信する移動局装置において、
チャネル状態情報を算出する測定部と、
（ａ）物理上りリンク制御チャネル（Physical Uplink Control Channel: PUCCH）と物理上りリンク共用チャネル（Physical Uplink Shared Channel: PUSCH）との同時送信が設定されていない場合であって、（ｂ）第１の物理上りリンク制御チャネルのリソースが設定されている場合であって、尚且つ、（ｃ）前記物理上りリンク共用チャネルが送信されないサブフレームにおいて１つの周期チャネル状態情報報告が存在する場合に、複数の第２の物理上りリンク制御チャネルのリソースの少なくとも１つで前記１つの周期チャネル状態情報報告を送信する送信部と、を備え、
前記複数のセルの各々について、前記複数の第２の物理上りリンク制御チャネルのリソースの１つが設定されており、
前記送信部は、（ａ）前記物理上りリンク制御チャネルと前記物理上りリンク共用チャネルとの同時送信が設定されていない場合であって、（ｂ）前記第１の物理上りリンク制御チャネルのリソースが設定されている場合であって、尚且つ、（ｃ）前記物理上りリンク共用チャネルが送信されない前記サブフレームにおいて２つ以上の周期チャネル状態情報報告が存在する場合に、前記第１の物理上りリンク制御チャネルのリソースで前記２つ以上の周期チャネル状態情報報告のうちの１つ以上を送信するように構成されており、
前記第１の物理上りリンク制御チャネルのリソースは、第１の物理上りリンク制御チャネルフォーマットの送信に使用され、
前記複数の第２の物理上りリンク制御チャネルのリソースの各々は、第２の物理上りリンク制御チャネルフォーマットの送信に使用される
ことを特徴とする移動局装置。
【請求項２】
前記物理上りリンク制御チャネルと前記物理上りリンク共用チャネルとの同時送信が設定されていない場合に、前記送信部は、前記物理上りリンク共用チャネルが送信されるサブフレームにおいて、前記物理上りリンク共用チャネルで１つ以上の周期チャネル状態情報報告を送信する
請求項１に記載の移動局装置。
【請求項３】
前記第１の物理上りリンク制御チャネルフォーマットは、２つ以上の周期チャネル状態情報報告を送信するために使用され、
前記第２の物理上りリンク制御チャネルフォーマットは、１つの周期チャネル状態情報報告を送信するために使用される
請求項１または２に記載の移動局装置。
【請求項４】
前記第１の物理上りリンク制御チャネルフォーマットは、２０ビットよりも多くのビットを送信するために使用され、
前記第２の物理上りリンク制御チャネルフォーマットは、２０ビットを送信するために使用される
請求項１から３の何れかに記載の移動局装置。
【請求項５】
複数のセルを用いて移動局装置と通信する基地局装置において、
第１の物理上りリンク制御チャネル（Physical Uplink Control Channel: PUCCH）フォーマットの送信に使用される、第１の物理上りリンク制御チャネルのリソースと、第２の物理上りリンク制御チャネルフォーマットの送信に使用される、複数の第２の物理上りリンク制御チャネルのリソースの各々と、を設定する制御部と、
（ａ）物理上りリンク制御チャネルと物理上りリンク共用チャネル（Physical Uplink Shared Channel: PUSCH）との同時送信が前記移動局装置において設定されていない場合であって、（ｂ）第１の物理上りリンク制御チャネルのリソースが設定されている場合であって、尚且つ、（ｃ）前記物理上りリンク共用チャネルが送信されないサブフレームにおいて１つの周期チャネル状態情報報告が存在する場合に、前記複数の第２の物理上りリンク制御チャネルのリソースの少なくとも１つで前記１つの周期チャネル状態情報報告を受信する受信部と、を備え、
前記複数のセルの各々について、前記複数の第２の物理上りリンク制御チャネルのリソースの１つが設定されており、
前記受信部は、（ａ）前記物理上りリンク制御チャネルと前記物理上りリンク共用チャネルとの同時送信が前記移動局装置において設定されていない場合であって、（ｂ）前記第１の物理上りリンク制御チャネルのリソースが設定されている場合であって、尚且つ、（ｃ）前記物理上りリンク共用チャネルが送信されない前記サブフレームにおいて２つ以上の周期チャネル状態情報報告が存在する場合に、前記第１の物理上りリンク制御チャネルのリソースで前記２つ以上の周期チャネル状態情報報告のうちの１つ以上を受信するように構成されている、
ことを特徴とする基地局装置。
【請求項６】
前記物理上りリンク制御チャネルと前記物理上りリンク共用チャネルとの同時送信が前記移動局装置において設定されていない場合に、前記受信部は、前記物理上りリンク共用チャネルが送信されるサブフレームにおいて、前記物理上りリンク共用チャネルで１つ以上の周期チャネル状態情報報告を受信する
請求項５に記載の基地局装置。
【請求項７】
前記第１の物理上りリンク制御チャネルフォーマットは、２つ以上の周期チャネル状態情報報告を受信するために使用され、
前記第２の物理上りリンク制御チャネルフォーマットは、１つの周期チャネル状態情報報告を受信するために使用される
請求項５または６に記載の基地局装置。
【請求項８】
前記第１の物理上りリンク制御チャネルフォーマットは、２０ビットよりも多くのビットを受信するために使用され、
前記第２の物理上りリンク制御チャネルフォーマットは、２０ビットを受信するために使用される
請求項５から７の何れかに記載の基地局装置。
【請求項９】
複数のセルを用いて基地局装置と通信する移動局装置が使用する無線通信方法であって、
チャネル状態情報を算出する測定するステップと、
（ａ）物理上りリンク制御チャネル（Physical Uplink Control Channel: PUCCH）と物理上りリンク共用チャネル（Physical Uplink Shared Channel: PUSCH）との同時送信が設定されていない場合であって、（ｂ）第１の物理上りリンク制御チャネルのリソースが設定されている場合であって、尚且つ、（ｃ）前記物理上りリンク共用チャネルが送信されないサブフレームにおいて１つの周期チャネル状態情報報告が存在する場合に、複数の第２の物理上りリンク制御チャネルのリソースの少なくとも１つで前記１つの周期チャネル状態情報報告を送信するステップと、
（ａ）前記物理上りリンク制御チャネルと前記物理上りリンク共用チャネルとの同時送信が設定されていない場合であって、（ｂ）前記第１の物理上りリンク制御チャネルのリソースが設定されている場合であって、尚且つ、（ｃ）前記物理上りリンク共用チャネルが送信されない前記サブフレームにおいて２つ以上の周期チャネル状態情報報告が存在する場合に、前記第１の物理上りリンク制御チャネルのリソースで前記２つ以上の周期チャネル状態情報報告のうちの１つ以上を送信するステップと、を含み、
前記複数のセルの各々について、前記複数の第２の物理上りリンク制御チャネルのリソースの１つが設定されており、
前記第１の物理上りリンク制御チャネルのリソースは、第１の物理上りリンク制御チャネルフォーマットの送信に使用され、
前記複数の第２の物理上りリンク制御チャネルのリソースの各々は、第２の物理上りリンク制御チャネルフォーマットの送信に使用される
ことを特徴とする無線通信方法。
【請求項１０】
複数のセルを用いて移動局装置と通信する基地局装置が使用する無線通信方法であって、
第１の物理上りリンク制御チャネル（Physical Uplink Control Channel: PUCCH）フォーマットの送信に使用される、第１の物理上りリンク制御チャネルのリソースと、第２の物理上りリンク制御チャネルフォーマットの送信に使用される、複数の第２の物理上りリンク制御チャネルのリソースの各々と、を設定するステップと、
（ａ）物理上りリンク制御チャネルと物理上りリンク共用チャネル（Physical Uplink Shared Channel: PUSCH）との同時送信が前記移動局装置において設定されていない場合であって、（ｂ）第１の物理上りリンク制御チャネルのリソースが設定されている場合であって、尚且つ、（ｃ）前記物理上りリンク共用チャネルが送信されないサブフレームにおいて１つの周期チャネル状態情報報告が存在する場合に、前記複数の第２の物理上りリンク制御チャネルのリソースの少なくとも１つで前記１つの周期チャネル状態情報報告を受信するステップと、
（ａ）前記物理上りリンク制御チャネルと前記物理上りリンク共用チャネルとの同時送信が前記移動局装置において設定されていない場合であって、（ｂ）前記第１の物理上りリンク制御チャネルのリソースが設定されている場合であって、尚且つ、（ｃ）前記物理上りリンク共用チャネルが送信されない前記サブフレームにおいて２つ以上の周期チャネル状態情報報告が存在する場合に、前記第１の物理上りリンク制御チャネルのリソースで前記２つ以上の周期チャネル状態情報報告のうちの１つ以上を受信するステップと、を含み、
前記複数のセルの各々について、前記複数の第２の物理上りリンク制御チャネルのリソースの１つが設定されている
ことを特徴とする無線通信方法。
【請求項１１】
複数のセルを用いて基地局装置と通信する移動局装置に複数の機能を発揮させるために前記移動局装置に搭載された集積回路であって、
チャネル状態情報を算出する測定する機能と、
（ａ）物理上りリンク制御チャネル（Physical Uplink Control Channel: PUCCH）と物理上りリンク共用チャネル（Physical Uplink Shared Channel: PUSCH）との同時送信が設定されていない場合であって、（ｂ）第１の物理上りリンク制御チャネルのリソースが設定されている場合であって、尚且つ、（ｃ）前記物理上りリンク共用チャネルが送信されないサブフレームにおいて１つの周期チャネル状態情報報告が存在する場合に、複数の第２の物理上りリンク制御チャネルのリソースの少なくとも１つで前記１つの周期チャネル状態情報報告を送信する機能と、
（ａ）前記物理上りリンク制御チャネルと前記物理上りリンク共用チャネルとの同時送信が設定されていない場合であって、（ｂ）前記第１の物理上りリンク制御チャネルのリソースが設定されている場合であって、尚且つ、（ｃ）前記物理上りリンク共用チャネルが送信されない前記サブフレームにおいて２つ以上の周期チャネル状態情報報告が存在する場合に、前記第１の物理上りリンク制御チャネルのリソースで前記２つ以上の周期チャネル状態情報報告のうちの１つ以上を送信する機能と、を含む一連の機能を移動局装置に発揮させ、
前記複数のセルの各々について、前記複数の第２の物理上りリンク制御チャネルのリソースの１つが設定されており、
前記第１の物理上りリンク制御チャネルのリソースは、第１の物理上りリンク制御チャネルフォーマットの送信に使用され、
前記複数の第２の物理上りリンク制御チャネルのリソースの各々は、第２の物理上りリンク制御チャネルフォーマットの送信に使用される
ことを特徴とする集積回路。
【請求項１２】
複数のセルを用いて移動局装置と通信する基地局装置に複数の機能を発揮させるために前記基地局装置に搭載された集積回路であって、
第１の物理上りリンク制御チャネル（Physical Uplink Control Channel: PUCCH）フォーマットの送信に使用される、第１の物理上りリンク制御チャネルのリソースと、第２の物理上りリンク制御チャネルフォーマットの送信に使用される、複数の第２の物理上りリンク制御チャネルのリソースの各々と、を設定する機能と、
（ａ）物理上りリンク制御チャネルと物理上りリンク共用チャネル（Physical Uplink Shared Channel: PUSCH）との同時送信が前記移動局装置において設定されていない場合であって、（ｂ）第１の物理上りリンク制御チャネルのリソースが設定されている場合であって、尚且つ、（ｃ）前記物理上りリンク共用チャネルが送信されないサブフレームにおいて１つの周期チャネル状態情報報告が存在する場合に、前記複数の第２の物理上りリンク制御チャネルのリソースの少なくとも１つで前記１つの周期チャネル状態情報報告を受信する機能と、
（ａ）前記物理上りリンク制御チャネルと前記物理上りリンク共用チャネルとの同時送信が前記移動局装置において設定されていない場合であって、（ｂ）前記第１の物理上りリンク制御チャネルのリソースが設定されている場合であって、尚且つ、（ｃ）前記物理上りリンク共用チャネルが送信されない前記サブフレームにおいて２つ以上の周期チャネル状態情報報告が存在する場合に、前記第１の物理上りリンク制御チャネルのリソースで前記２つ以上の周期チャネル状態情報報告のうちの１つ以上を受信する機能と、を含む一連の機能を基地局装置に発揮させ、
前記複数のセルの各々について、前記複数の第２の物理上りリンク制御チャネルのリソースの１つが設定されている
ことを特徴とする集積回路。